(57)【要約】【課題】多様な画像表示を可能とする画像投射スクリーンおよび画像表示システムを提案する。【解決手段】反射型スクリーンと、半透過型スクリーンと、を備え、ステージと、前記ステージ上に重力方向に沿って配置される前記反射型スクリーンと、前記ステージと、前記反射型スクリーンと、に対向して配置される前記半透過型スクリーンと、により形成される視認空間を有することを特徴とする画像投射スクリーン。【選択図】図１
2016118671.tif 000002
【特許請求の範囲】
【請求項１】
反射型スクリーンと、半透過型スクリーンと、を備え、
ステージと、
前記ステージ上に重力方向に沿って配置される前記反射型スクリーンと、
前記ステージと、前記反射型スクリーンと、に対向して配置される前記半透過型スクリーンと、により形成される視認空間を有する、
ことを特徴とする画像投射スクリーン。
【請求項２】
前記半透過型スクリーンは、
前記反射型スクリーンに対向する第１端部と、前記反射型スクリーンから前記第１端部より離間した、前記第１端部の反対の第２端部と、を有し、
重力方向における前記第１端部の位置と、前記第２端部の位置と、は相対的に異なる、
ことを特徴とする請求項１に記載の画像投射スクリーン。
【請求項３】
前記第１端部が、前記第２端部より重力方向の位置が相対的に高い、
ことを特徴とする請求項２に記載の画像投射スクリーン。
【請求項４】
反射型スクリーンと、半透過型スクリーンと、プロジェクターと、を備え、
ステージと、
前記ステージ上に重力方向に沿って配置される前記反射型スクリーンと、
前記ステージと、前記反射型スクリーンと、に対向して配置される前記半透過型スクリーンと、により形成される視認空間を有し、
前記プロジェクターの光軸が、前記半透過型スクリーンに交差し、且つ、前記反射型スクリーンに交差する、
ことを特徴とする画像表示システム。
【請求項５】
前記半透過型スクリーンは、
前記反射型スクリーンに対向する第１端部と、前記反射型スクリーンから前記第１端部より離間した、前記第１端部の反対の第２端部と、を有し、
重力方向における前記第１端部の位置と、前記第２端部の位置と、は相対的に異なる、
ことを特徴とする請求項４に記載の画像表示システム。
【請求項６】
前記第１端部が、前記第２端部より重力方向の位置が相対的に高い、
ことを特徴とする請求項５に記載の画像表示システム。
【発明の詳細な説明】
【技術分野】
【０００１】
本発明は、画像投射スクリーンおよび画像表示システムに関する。
【背景技術】
【０００２】
投射型の画像表示装置であるプロジェクターによって、スクリーンに代表される画像表示媒体に画像を表示することが知られている。画像表示媒体のスクリーンは、従来、固定設置を前提としたハードタイプであったり、移動を可能としたソフトタイプであったりしたが、いずれにしてもスクリーンに対する人の移動、例えばスクリーンとプロジェクターの間には投射を妨げないように人が入れない、などの制限があった。
【０００３】
また、従来はスクリーンの画像投射面は、少なくとも平面が維持され、画像を歪ませないようにしていた。しかし、プロジェクターによる画像表示が、単なるプレゼンテーション、あるいはコンテンツ表示だけにとどまらず、疑似的な体験空間、例えば水中にいるような体験ができる空間、を表示できる、すなわち人が自由に画像表示空間で移動が可能となることが求められている。
【０００４】
特許文献１では、光透過性と光拡散性とを有する幕を複数、所定の間隔を有して配置し、複数のプロジェクターを用いて異なる方向から画像を投射するスクリーン装置が提案されている。このスクリーン装置は、幕の間を人が出入りすること、あるいは通り抜けることが可能となり、人などの存在に影響されない投射画像を表示することが可能となるが開示されている。
【０００５】
更に、特許文献２では、平面状に設けられた光透過性を有する幕と、撓みを有して設けられた複数の光透過性を有する幕と、に、少なくとも２方向から画像を投射するスクリーン装置が提案され、この特許文献２に示されたスクリーン装置によれば、簡単な構成で様々な画像表示演出をすることができる、と開示されている。
【先行技術文献】
【特許文献】
【０００６】
【特許文献１】特開２００８−２６８８５８号公報
【特許文献２】特開２０１４−９２５５３号公報
【発明の概要】
【発明が解決しようとする課題】
【０００７】
しかし、特許文献１および特許文献２に示されたスクリーン装置は、少なくとも２台のプロジェクターを用いることによって所望の表示画像が得られるものであった。そこで、プロジェクターが１台であっても、人の存在する状況に制限がなく、しかも多様な画像表示を可能とする画像投射スクリーンおよび画像表示システムを提案する。
【課題を解決するための手段】
【０００８】
本発明は、上述の課題の少なくとも一部を解決するためになされたものであり、以下の形態または適用例として実現することが可能である。
【０００９】
〔適用例１〕本適用例の画像投射スクリーンは、反射型スクリーンと、半透過型スクリーンと、を備え、ステージと、前記ステージ上に重力方向に沿って配置される前記反射型スクリーンと、前記ステージと、前記反射型スクリーンと、に対向して配置される前記半透過型スクリーンと、により形成される視認空間を有することを特徴とする。
【００１０】
視認空間は、反射型スクリーンと共にステージに対向させて半透過型スクリーンが配設されて形成されるが、言い換えれば、半透過型スクリーンは視認空間においてステージ上方、すなわち観察者の頭上に配設される。この視認空間内に、観察者としての人が入いり、頭上に配設された半透過型スクリーンに投射された投射画像の反転画像と、半透過型スクリーンを透過した投射光が反射型スクリーンに投射されて表示された投射画像と、を視認することができる。このように、本適用例の画像投射スクリーンによれば、視認空間の内部では、画像投射スクリーンにおける反射型スクリーン側と、半透過型スクリーン側と、の両方に画像が映し出され、更に半透過型スクリーンに投射された画像は人の頭上に写し出すことが可能となる。これにより、快適な空間の演出、臨場感のある空間の演出、など様々な空間演出の可能性を広げることができる。また、半透過型スクリーンは、視認空間の外側にも投射画像が映し出されることで、視認空間の外側からも投射画像を視認することができる。合わせて、半透過型スクリーンを通して反射型スクリーンに映し出された投射画像も視認することができることで、視認空間の外にいる観察者には立体的な画像空間を視認することができ、より多彩な空間演出を表現することができる。
【００１１】
〔適用例２〕上述の適用例において、前記半透過型スクリーンは、前記反射型スクリーンに対向する第１端部と、前記反射型スクリーンから前記第１端部より離間した、前記第１端部の反対の第２端部と、を有し、重力方向における前記第１端部の位置と、前記第２端部の位置と、は相対的に異なることを特徴とする。
【００１２】
上述の適用例によれば、半透過型スクリーンがステージに対して傾かせて配設される。従って、観察者である人は斜め上方に視線を向けることで、半透過型スクリーンに映し出される画像を視認することができる。すなわち、半透過型スクリーンに映し出される画像の視認性を向上させることができる。
【００１３】
〔適用例３〕上述の適用例において、前記第１端部が、前記第２端部より重力方向の位置が相対的に高いことを特徴とする。
【００１４】
上述の適用例によれば、半透過型スクリーンがステージに対して反射型スクリーンに向かってステージから離間する、いわゆる上方に徐々に傾かせて配設される。従って、反射型スクリーンの画像投射領域を広く形成することが可能となり、合わせて、観察者である人からは斜め上方に半透過型スクリーンに配設され、この半透過型スクリーンに映し出される画像の視認性を向上させることができる。
【００１５】
〔適用例４〕本適用例の画像表示システムは、反射型スクリーンと、半透過型スクリーンと、プロジェクターと、を備え、ステージと、前記ステージ上に重力方向に沿って配置される前記反射型スクリーンと、前記ステージと、前記反射型スクリーンと、に対向して配置される前記半透過型スクリーンと、により形成される視認空間を有し、前記プロジェクターの光軸が、前記半透過型スクリーンに交差し、且つ、前記反射型スクリーンに交差することを特徴とする。
【００１６】
視認空間は、反射型スクリーンと共にステージに対向させて半透過型スクリーンが配設されて形成されるが、言い換えれば、半透過型スクリーンは視認空間ではステージ上方で観察者の頭上に配設される。この視認空間内に、観察者としての人が入いり、頭上に配設された半透過型スクリーンに投射された投射画像の反転画像と、半透過型スクリーンを透過した投射光が反射型スクリーンに投射されて表示された投射画像と、を視認することができる。このように、本適用例の画像表示システムによれば、視認空間の内部では、反射型スクリーン側と、半透過型スクリーン側と、の両方に画像が映し出され、更に半透過型スクリーンに投射された画像は人の頭上に写し出すことが可能となる。これにより、快適な空間の演出、臨場感のある空間の演出、など様々な空間演出の可能性を広げることができる。また、半透過型スクリーンは、視認空間の外側にも投射画像が映し出されることで、視認空間の外側からも投射画像を視認することができる。合わせて、半透過型スクリーンを通して反射型スクリーンに映し出された投射画像も視認することができることで、視認空間の外にいる観察者には立体的な画像空間を視認することができ、より多彩な空間演出が表現できる画像表示システムを得ることができる。
【００１７】
〔適用例５〕上述の適用例において、前記半透過型スクリーンは、前記反射型スクリーンに対向する第１端部と、前記反射型スクリーンから前記第１端部より離間した、前記第１端部の反対の第２端部と、を有し、重力方向における前記第１端部の位置と、前記第２端部の位置と、は相対的に異なることを特徴とする。
【００１８】
上述の適用例によれば、半透過型スクリーンがステージに対して傾かせて配設される。従って、観察者である人からは斜め上方に半透過型スクリーンに配設され、この半透過型スクリーンに映し出される画像の視認性を向上させる画像表示システムを得ることができる。
【００１９】
〔適用例６〕上述の適用例において、前記第１端部が、前記第２端部より重力方向の位置が相対的に高いことを特徴とする。
【００２０】
上述に適用例によれば、上述の適用例によれば、半透過型スクリーンがステージに対して反射型スクリーンに向かってステージから離間する、いわゆる上方に徐々に傾かせて配設される。従って、反射型スクリーンの画像投射領域を広く形成することが可能となり、合わせて、観察者である人からは斜め上方に半透過型スクリーンに配設され、この半透過型スクリーンに映し出される画像の視認性を向上させる画像表示システムを得ることができる。
【図面の簡単な説明】
【００２１】
【図１】第１実施形態に係る画像投射スクリーンの概略構成を示し、（ａ）は外観斜視図、（ｂ）は（ａ）に示すＡ面での断面図。
【図２】第１実施形態に係る画像投射スクリーンのその他の配設形態を示し、図１（ａ）に示すＡ面での断面図。
【図３】第２実施形態に係る画像表示システムを示し、（ａ）は概略構成を示す外観斜視図、（ｂ）は（ａ）に示すＢ面での概略断面図。
【図４】第３実施形態に係る画像表示システムを示し、（ａ）は図３（ａ）に示すＢ面での概略断面図、（ｂ）および（ｃ）は、その他の形態を示し、図３（ａ）に示すＢ面での概略断面図。
【発明を実施するための形態】
【００２２】
以下、図面を参照して、本発明に係る実施形態を説明する。
【００２３】
（第１実施形態）
図１は、第１実施形態に係る画像投射スクリーンの概略構成を示し、（ａ）は外観斜視図、（ｂ）は（ａ）に示すＡ面での断面図である。
【００２４】
図１（ａ）に示すように、画像投射スクリーン１００は、半透過型スクリーン１０と、反射型スクリーン２０と、反射型スクリーン２０が設置されるステージ３００と、を備えている。半透過型スクリーン１０は、図１（ｂ）に示すように、反射型スクリーン２０の光投射面としての画像投射面２０ａ側の第１端部１０ａが吊下げ手段４１０ａ（以下、第１吊下げ部４１０ａという）によって天井部４００の天井面４００ａから吊下げられ、第１端部１０ａの反対の端部、すなわち画像を投射するプロジェクター２００側の端部である第２端部１０ｂが吊下げ手段４１０ｂ（以下、第２吊下げ部４１０ｂという）によって天井面４００ａから吊下げられている。
【００２５】
ここで反射型スクリーンとは、スクリーンに投射された光のすべてが、スクリーンを透過することなく光の投射側に反射あるいは拡散される性質を持つスクリーンをいう。また、半透過型スクリーンとは、スクリーンに投射された光の一部が、スクリーンを透過し、光が投射されるスクリーン面の裏面からも投射光を視認することができ、尚且つ、投射された光の他の一部はスクリーンを透過することなく光の投射側に反射あるいは拡散される、光透過性と光反射性の性質を併せ持つスクリーンをいう。
【００２６】
反射型スクリーン２０は、図１（ｂ）に示すように、ステージ３００の上に重力方向（図示矢印Ｇ）に沿って画像投射面２０ａが配置されるように設置される。なお、反射型スクリーン２０の画像投射面２０ａは、拡散型、反射型、あるいは回帰型などの特性のいずれであってもよく、投射する画像コンテンツによって適宜選択すればよい。また、反射型スクリーン２０の設置形態は、図１（ｂ）に示すようにステージ３００が略水平方向であれば重力方向に沿って画像投射面２０ａが配置されることが一般的ではあるが、これに限定されない。例えば、ステージ３００に対して画像投射面２０ａを鋭角、あるいは鈍角に傾けることも可能であり、更には、ステージ３００を水平に対して傾けて配置することも可能である。
【００２７】
半透過型スクリーン１０は、柔軟性があり、光透過性と光反射性とを備える素材が好ましい。例えば寒冷紗、あるいはオーガンザなど、光透過率が４０％以上、８０％以下の素材が好適に用いられる。そして、図１（ｂ）に示すように、半透過型スクリーン１０は、天井部４００から第１端部１０ａが第１吊下げ部４１０ａによって、第２端部１０ｂが第２吊下げ部４１０ｂによって、吊下げ支持されることにより、重力方向Ｇに半透過型スクリーン１０の自重によって垂れ下がるように配置される。これにより、半透過型スクリーン１０は、反射型スクリーン２０の画像投射面２０ａと、ステージ３００のステージ面３００ａと、に対向するように配置され、半透過型スクリーン１０と、反射型スクリーン２０の画像投射面２０ａと、ステージ３００のステージ面３００ａと、によって囲まれる視認空間Ｖｓ（図１（ｂ）の網掛けハッチング部）が形成される。
【００２８】
半透過型スクリーン１０の配設形態は、図１（ｂ）に示すように、ステージ面３００ａから第１端部１０ａまでの高さをｈ１１、第２端部１０ｂまでの高さをｈ１２としたとき、
ｈ１１≠ｈ１２
であり、好ましくは、
ｈ１１＞ｈ１２
となるように配設する。
【００２９】
そして、プロジェクター２００から投射される画像の投射光軸Ｌ（以下、光軸Ｌという）は、半透過型スクリーン１０の第２端部１０ｂの位置における光軸Ｌの通過位置Ｌｐのステージ面３００ａからの高さをｈ１３とすると、
ｈ１１＞ｈ１３＞ｈ１２（ただし、ｈ１１＞ｈ１２）
となるようにプロジェクター２００が配置され、更に光軸Ｌが半透過型スクリーン１０と交差し、更に、反射型スクリーン２０の画像投射面２０ａとも交差するように、プロジェクター２００の光軸Ｌの向きが調整される。
【００３０】
このように画像投射スクリーン１００と、プロジェクター２００と、が配置され、プロジェクター２００から画像投射スクリーン１００に向けて画像が投射されると、図１（ａ）に示すように、半透過型スクリーン１０に、投射された投射画像Ｐ１が映し出され、尚且つ、半透過型スクリーン１０を透過した画像光が反射型スクリーン２０に投射され、投射画像Ｐ２が映し出される。
【００３１】
そして視認空間Ｖｓ内に、人Ｈｕが入いることにより、反射型スクリーン２０に投射された投射画像Ｐ２を視認することができ、更に、半透過型スクリーン１０に投射された投射画像Ｐ１の図示しない反転画像を視認することができる。このように、本実施形態に係る画像投射スクリーン１００によれば、視認空間Ｖｓの内部では、画像投射スクリーン１００における反射型スクリーン２０側と半透過型スクリーン１０側との両方に画像を映し出すことが可能となる。また、上述したようにステージ面３００ａに対して上方に第１端部１０ａと第２端部１０ｂとを天井面４００ａから吊下げることで、人Ｈｕの頭上に半透過型スクリーン１０が配設され、投射画像Ｐ１の反転画像を見上げるように視認する。
【００３２】
本実施形態に係る画像投射スクリーン１００によれば、半透過型スクリーン１０が投射された画像を視認空間Ｖｓ内で視認する人Ｈｕの頭上に配置されることで、例えば、空や雲の映像、鳥の飛翔映像、あるいは星の映像などの仰ぎ見る画像を映し出すことが可能となる。これにより、快適な空間の演出、臨場感のある空間の演出、など様々な空間演出の可能性を広げることができる。
【００３３】
また、半透過型スクリーン１０においては、上述したようにプロジェクター２００に面した、すなわち視認空間Ｖｓの外側にも投射画像Ｐ１が映し出されることで、視認空間Ｖｓの外側からも投射画像Ｐ１を視認することができる。合わせて、半透過型スクリーン１０を通して反射型スクリーン２０に映し出された投射画像Ｐ２も視認することができることで、視認空間Ｖｓの外にいる観察者には立体的な画像空間を視認することができるとともに、空間感を鮮明に与えることができ、より多彩な空間演出を表現することができる。更に、視認領域Ｖｓの内部の様子が、半透過型スクリーン１０を通して視認することができることから、例えば視認空間Ｖｓで投射画像を見ながら遊ぶ子供を、視認空間Ｖｓの外側から保護者が見守ることが同時に可能となり、視認空間Ｖｓ内部での事故防止など、視認空間Ｖｓの外側にいる保護者の保護行動が容易に行える。
【００３４】
上述したように、本実施形態に示す画像投射スクリーン１００では、１台のプロジェクター２００であっても、半透過型スクリーン１０および反射型スクリーン２０の複数のスクリーンに同時に画像を投射することが可能となる。従って、半透過型スクリーン１０は、上述したように光透過率が４０％以上、８０％以下の素材で形成されることが好ましい。光透過率が４０％より小さいと、反射型スクリーン２０に投射される投射画像Ｐ２が暗く、不鮮明になってしまい、光透過率が８０％より大きいと、半透過型スクリーン１０に投射される投射画像Ｐ１が不鮮明になってしまい、合わせて、視認空間Ｖｓの外側からの画像の視認性が劣ってしまう。
【００３５】
図２は上述した本実施形態に係る画像投射スクリーン１００のその他の配設形態を示す図１（ａ）に示すＡ面での断面図である。図２（ａ）に示す半透過型スクリーン１０の配設状態は、半透過型スクリーン１０とステージ面３００ａとが、最も近接する最下垂部１０ｃが第１端部１０ａおよび第２端部１０ｂよりステージ面３００ａ側に位置するように配設されていてもよい。すなわち、ステージ面３００ａから第１端部１０ａまでの高さをｈ２１および第２端部１０ｂまでの高さをｈ２２、ステージ面３００ａから最下垂部１０ｃまでの高さをｈ２４とすると、
ｈ２４＜ｈ２１
且つ、
ｈ２４＜ｈ２２
となる状態である。
【００３６】
このような状態では、図１（ｂ）に示すように光軸Ｌがステージ面３００ａに沿って、略平行に照射されると、図２（ａ）の半透過型スクリーン１０の第２端部１０ｂ側近傍で投射される画像が不鮮明となったり、投射されなかったりする虞がある。そこで、プロジェクター２００から投射される画像の投射光軸Ｌ（以下、光軸Ｌという）は、半透過型スクリーン１０の第２端部１０ｂの位置における光軸Ｌの通過位置Ｌｐのステージ面３００ａからの高さをｈ２３とすると、
ｈ２１＞ｈ２３＞ｈ２２（ただし、ｈ２１＞ｈ２２）
となるようにプロジェクター２００が配置され、更に光軸Ｌが半透過型スクリーン１０と交差し、更に、反射型スクリーン２０の画像投射面２０ａとも交差するように、プロジェクター２００の光軸Ｌの向きが調整される。これにより、プロジェクター２００の画像投射は、光軸Ｌとステージ面３００ａとに傾きを持たせて投射することで、半透過型スクリーン１０および反射型スクリーン２０へ所望の画像投射を行うことができる。
【００３７】
図２（ｂ）に示す画像投射スクリーン１１０の半透過型スクリーン１１の配設状態は、反射型スクリーン２０側の第１端部１１ａのステージ面３００ａからの高さｈ３１と、プロジェクター２００側の第２端部１１ｂのステージ面３００ａからの高さｈ３２と、が、
ｈ３１＜ｈ３２
となっている。すなわち、上述した画像投射スクリーン１００の半透過型スクリーン１０が、反射型スクリーン２０側から離間する方向に沿って、第１端部１０ａから第２端部１０ｂに向けてステージ面３００ａに近づくように配設されているのに対して、第１端部１１ａから第２端部１１ｂに向けてステージ面３００ａより離間するように配設されている。
【００３８】
このように半透過型スクリーン１１が配設される場合であっても、プロジェクター２００からの画像投射は、半透過型スクリーン１１の第２端部１１ｂの位置における光軸Ｌの通過位置Ｌｐのステージ面３００ａからの高さｈ３３は、
ｈ３３＞ｈ３２
の関係を満足し、尚且つ、光軸Ｌが半透過型スクリーン１１に交差するように光軸Ｌを傾けるようにプロジェクター２００は設置される。
【００３９】
このように反射型スクリーン２０に向けて半透過型スクリーン１１のステージ面３００ａからの高さが低く配置される画像投射スクリーン１１０に対して、第２端部１１ｂのステージ面３００ａからの高さより高い位置にプロジェクター２００からの光軸Lを配置させることにより、半透過型スクリーン１１に所定の画像を投射することができ、視認空間Ｖｓ内の人Ｈｕに多彩な映像空間を提供することができる。
【００４０】
（第２実施形態）
図３は、第２実施形態に係る画像表示システムを示し、（ａ）は概略構成を示す外観斜視図、（ｂ）は（ａ）に示すＢ面での概略断面図である。なお、上述した第１実施形態に係る画像投射スクリーン１００と同じ構成要素には同じ符号を付し、説明は省略する。
【００４１】
図３（ａ）に示す画像表示システム１０００（以下、システム１０００という）は、反射型スクリーン２０と、反射型スクリーン２０が設置されるステージ３００と、画像を投射するプロジェクター２００と、反射型スクリーン２０とプロジェクター２００との間に半透過型スクリーン１０と、を備えている。そして、図３（ｂ）に示すように、反射型スクリーン２０と半透過型スクリーン１０とで構成される画像投射スクリーン１００と、ステージ３００のステージ面３００ａと、によって視認空間Ｖｓ（網掛けハッチング部）が形成され、人Ｈｕは視認空間Ｖｓ内において、反射型スクリーン２０と、半透過型スクリーン１０と、にプロジェクター２００から投射される映像を視認することができる。
【００４２】
本実施形態に係るシステム１０００では、図３（ａ）で示すように、プロジェクター２００に画像データを供給するパーソナルコンピューター５００（以下、ＰＣ５００という）を備えている。また、システム１０００は、施設制御部６００を備えていてもよく、ＰＣ５００からの制御信号により、照明、音響あるいは空調などを、投射する画像に対応して制御することもできる。
【００４３】
半透過型スクリーン１０は、図３（ｂ）に示すように、反射型スクリーン２０の光投射面としての画像投射面２０ａ側の第１端部１０ａが第１吊下げ部４１０ａによって天井部４００の天井面４００ａから吊下げられ、第１端部１０ａの反対の端部、すなわち画像を投射するプロジェクター２００側の端部である第２端部１０ｂが第２吊下げ部４１０ｂによって天井面４００ａから吊下げられている。また、反射型スクリーン２０は、図３（ｂ）に示すように、ステージ３００の上に重力方向（図示矢印Ｇ）に沿って画像投射面２０ａが配置されるように設置される。
【００４４】
半透過型スクリーン１０の配設形態は、図３（ｂ）に示すように、ステージ面３００ａから第１端部１０ａまでの高さをｈ１１、第２端部１０ｂまでの高さをｈ１２としたとき、
ｈ１１≠ｈ１２
であり、好ましくは、
ｈ１１＞ｈ１２
となるように配設する。
【００４５】
そして、プロジェクター２００から投射される画像の光軸Ｌは、半透過型スクリーン１０の第２端部１０ｂの位置における光軸Ｌの通過位置Ｌｐのステージ面３００ａからの高さをｈ１３とすると、
ｈ１１＞ｈ１３＞ｈ１２（ただし、ｈ１１＞ｈ１２）
となるようにプロジェクター２００が配置され、更に光軸Ｌが半透過型スクリーン１０と交差し、更に、反射型スクリーン２０の画像投射面２０ａとも交差するように、プロジェクター２００の光軸Ｌの向きが調整される。
【００４６】
このように画像投射スクリーン１００と、プロジェクター２００と、が配置され、プロジェクター２００から画像投射スクリーン１００に向けて画像が投射されると、図３（ａ）に示すように、半透過型スクリーン１０に、投射された投射画像Ｐ１が映し出され、尚且つ、半透過型スクリーン１０を透過した画像光が反射型スクリーン２０に投射され、投射画像Ｐ２が映し出される。
【００４７】
そして視認空間Ｖｓ内に、人Ｈｕが入いることにより、反射型スクリーン２０に投射された投射画像Ｐ２を視認することができ、更に、半透過型スクリーン１０に投射された投射画像Ｐ１の図示しない反転画像を視認することができる。このように、本実施形態に係るシステム１０００によれば、視認空間Ｖｓの内部では、画像投射スクリーン１００における反射型スクリーン２０側と半透過型スクリーン１０側との両方に画像を映し出すことが可能となる。また、上述したようにステージ面３００ａに対して上方に第１端部１０ａと第２端部１０ｂとを天井面４００ａから吊下げることで、人Ｈｕの頭上に半透過型スクリーン１０が配設され、投射画像Ｐ１の反転画像を見上げるように視認する。
【００４８】
本実施形態に係るシステム１０００によれば、半透過型スクリーン１０が投射された画像を視認空間Ｖｓ内で視認する人Ｈｕの頭上に配置されることで、例えば、空や雲の映像、鳥の飛翔映像、あるいは星の映像などの仰ぎ見る画像を映し出すことが可能となる。これにより、快適な空間の演出、臨場感のある空間の演出、など様々な空間演出の可能性を広げることができる。
【００４９】
また、半透過型スクリーン１０においては、上述したようにプロジェクター２００に面した、すなわち視認空間Ｖｓの外側にも投射画像Ｐ１が映し出されることで、視認空間Ｖｓの外側からも投射画像Ｐ１を視認することができる。合わせて、半透過型スクリーン１０を通して反射型スクリーン２０に映し出された投射画像Ｐ２も視認することができることで、視認空間Ｖｓの外にいる観察者には立体的な画像空間を視認することができるとともに、空間感を鮮明に与えることができ、より多彩な空間演出を表現することができる。更に、視認領域Ｖｓの内部の様子が、半透過型スクリーン１０を通して視認することができることから、例えば視認空間Ｖｓで投射画像を見ながら遊ぶ子供を、視認空間Ｖｓの外側から保護者が見守ることが同時に可能となり、視認空間Ｖｓ内部での事故防止など、視認空間Ｖｓの外側にいる保護者の保護行動が容易に行える。
【００５０】
（第３実施形態）
図４は、第３実施形態に係る画像表示システム２０００（以下、システム２０００という）を示す。システム２０００は、第２実施形態に係るシステム１０００における吊下げ部４１０ａ，４１０ｂの形態が異なり、更に、プロジェクター２００を支持する手段が異なり、その他の構成はシステム１０００と同じであるので、システム１０００と同じ構成要素には同じ符号を付し、説明は省略する。
【００５１】
図４（ａ）は図３（ａ）におけるＢ面での概略断面図を示す。図４（ａ）に示すように、本実施形態に係るシステム２０００は、半透過型スクリーン１０が天井部２４００から吊下げ支持する第１吊下げ部２４１０および第２吊下げ部２４２０によって天井部２４００に支持される。また、プロジェクター２００はプロジェクター吊下げ部２４３０（以下、Ｐｊ吊下げ部２４３０という）によって天井部２４００に支持されている。
【００５２】
第１吊下げ部２４１０は、一端が第１端部１０ａに固着され、第１巻き上げ手段２４１０ａに他端が固定され、第１巻き上げ手段２４１０ａによって巻き上げ可能なワイヤー２４１０ｂで構成される。同様に、第２吊下げ部２４２０は、一端が第２端部１０ｂに固着され、第２巻き上げ手段２４２０ａに他端が固定され、第２巻き上げ手段２４２０ａによって巻き上げ可能なワイヤー２４２０ｂで構成される。
【００５３】
Ｐｊ吊下げ部２４３０は、第１プロジェクター吊下げ部２４３１（以下、第１Ｐｊ吊下げ部２４３１という）と、第２プロジェクター吊下げ部２４３２（以下、第２Ｐｊ吊下げ部２４３２という）と、を天井部２４００に備えている。そして、第１Ｐｊ吊下げ部２４３１は、一端がプロジェクター２００に固着され、第１プロジェクター巻き上げ手段２４３１ａ（以下、第１Ｐｊ巻き上げ手段２４３１ａという）に他端が固定され、第１Ｐｊ巻き上げ手段２４３１ａによって巻き上げ可能なワイヤー２４３１ｂで構成される。同様に、第２Ｐｊ吊下げ部２４３２は、一端がプロジェクター２００に固着され、第２プロジェクター巻き上げ手段２４３２ａ（以下、第２Ｐｊ巻き上げ手段２４３２ａという）に他端が固定され、第２Ｐｊ巻き上げ手段２４３２ａによって巻き上げ可能なワイヤー２４３２ｂで構成される。
【００５４】
またシステム２０００に備えるＰＣ５００は、プロジェクター２００へ投射画像データを供給するとともに、上述の半透過型スクリーン１０の端部１０ａ，１０ｂを支持する吊下げ部２４１０，２４２０のＰｊ巻き上げ手段２４１０ａ，２４２０ａの図示しない駆動装置を制御する制御部２６００に制御信号を送出する。制御部２６００では、制御信号に基づいてＰｊ巻き上げ手段２４１０ａ，２４２０ａの図示しない駆動装置を駆動させ、第１端部１０ａの高さｈ４１、および第２端部１０ｂの高さｈ４２を所定の高さまで、ワイヤー２４１０ｂ，２４２０ｂを巻き上げ、あるいは巻き戻すことで半透過型スクリーン１０の配設高さを調整する。
【００５５】
更に、ＰＣ５００から制御部２６００にＰｊ吊下げ部２４３０に備えるＰｊ巻き上げ手段２４３１ａ，２４３２ａに備える図示しない駆動装置を制御する制御信号を送出する。制御部２６００では、制御信号に基づいてＰｊ巻き上げ手段２４３１ａ，２４３２ａに備える図示しない駆動装置を駆動させ、ワイヤー２４３１ｂ，２４３２ｂを巻き上げ、あるいは巻き戻すことでプロジェクター２００の上下位置、あるいは傾きを調整する。すなわち、光軸Ｌの通過位置Ｌｐの高さｈ４３の調整と、光軸Ｌの傾きを調整することが可能となる。
【００５６】
システム２０００では、半透過型スクリーン１０を吊下げる吊下げ部２４１０，２４２０と、プロジェクター２００を吊下げるＰｊ吊下げ部２４３０によって、ステージ面３００ａから第１端部１０ａまでの高さをｈ４１、第２端部１０ｂまでの高さをｈ４２としたとき、
ｈ４１≠ｈ４２
の状態に調整され、好ましくは、
ｈ４１＞ｈ４２
となるように配設位置が調整される。
【００５７】
そして、プロジェクター２００から投射される画像の投射光軸Ｌ（以下、光軸Ｌという）は、半透過型スクリーン１０の第２端部１０ｂの位置における光軸Ｌの通過位置Ｌｐのステージ面３００ａからの高さをｈ４３とすると、
ｈ４１＞ｈ４３＞ｈ４２（ただし、ｈ４１＞ｈ４２）
となるようにプロジェクター２００の配置位置が調整され、更に光軸Ｌが半透過型スクリーン１０と交差し、更に、反射型スクリーン２０の画像投射面２０ａとも交差するように、プロジェクター２００の光軸Ｌの向きが調整される。
【００５８】
システム２０００によれば、投射すべき画像に合わせて、半透過型スクリーン１０の配設形態を容易に設定することができ、多様な視認空間Ｖｓの形成を容易に行うことができる。
【００５９】
図４（ｂ），（ｃ）は、図４（ａ）に示すシステム２０００による視認空間Ｖｓを吊下げ部２４１０，２４２０を駆動させて端部１０ａ，１０ｂをステージ面３００ａから離間、あるいは近接させて変位させた形態の一例を示す概略構成図である。
【００６０】
図４（ｂ）に示すシステム２００Ａでは、半透過型スクリーン１０とステージ面３００ａとが、最も近接する最下垂部１０ｃが第１端部１０ａおよび第２端部１０ｂよりステージ面３００ａ側に位置するように配設されていてもよい。すなわち、ステージ面３００ａから第１端部１０ａまでの高さをｈ５１および第２端部１０ｂまでの高さをｈ５２、ステージ面３００ａから最下垂部１０ｃまでの高さをｈ５４とすると、
ｈ５４＜ｈ５１
且つ、
ｈ５４＜ｈ５２
となる状態である。
【００６１】
このような状態では、図４（ａ）に示すように光軸Ｌがステージ面３００ａに沿って、略平行に照射されると、図４（ｂ）の半透過型スクリーン１０の第２端部１０ｂ側近傍で投射される画像が不鮮明となったり、投射されなかったりする虞がある。そこで、プロジェクター２００を支持しているＰｊ吊下げ部２４３１，２４３２を駆動させ、第１Ｐｊ吊下げ部２４３１の巻き上げ量と第２Ｐｊ吊下げ部２４３２の巻き上げ量を調整し、光軸Ｌの通過位置Ｌｐを第２端部１０ｂの上方を通り、半透過型スクリーン１０と反射型スクリーン２０とに光軸Ｌを交差させるようにプロジェクター２００の位置や傾きを調整することにより、半透過型スクリーン１０および反射型スクリーン２０へ所望の画像投射を行うことができる。
【００６２】
図４（ｃ）に示すシステム２００Ｂでは、反射型スクリーン２０側の第１端部１０ａのステージ面３００ａからの高さｈ６１と、プロジェクター２００側の第２端部１０ｂのステージ面３００ａからの高さｈ６２と、が、
ｈ６１＜ｈ６２
となっている。すなわち、半透過型スクリーン１０が、反射型スクリーン２０側から離間する方向に沿って、第１端部１０ａから第２端部１０ｂに向けてステージ面３００ａより離間するように配設されている。
【００６３】
このように半透過型スクリーン１０が配設される場合であっても、プロジェクター２００からの画像投射は、半透過型スクリーン１０の第２端部１０ｂの位置における光軸Ｌの通過位置Ｌｐのステージ面３００ａからの高さｈ６３は、
ｈ６３＞ｈ６２
の関係を満足し、尚且つ、光軸Ｌが半透過型スクリーン１０と反射型スクリーン２０とに交差するように光軸Ｌを傾けるようにプロジェクター２００は設置される。
【００６４】
このように反射型スクリーン２０に向けて半透過型スクリーン１０のステージ面３００ａからの高さが低く配置される半透過型スクリーン１０に対して、第２端部１０ｂのステージ面３００ａからの高さより高い位置にプロジェクター２００からの光軸を配置させることにより、半透過型スクリーン１０に所定の画像を投射することができ、視認空間Ｖｓ内の人Ｈｕに多彩な映像空間を提供することができる。
【００６５】
なお、上述したシステム１０００，２０００，２００Ａ，２００Ｂでは、１台のプロジェクター２００を用いて画像投射スクリーン１００に投射するシステムを説明したが、これに限定されず、複数のプロジェクターを備えていてもよい。また、光軸Ｌのステージ面３００ａからの高さｈ１３，ｈ２３，ｈ３３，ｈ４３，ｈ５３，ｈ６３が、第２端部１０ｂの下方、すなわち、
（ｈ１３，ｈ２３，ｈ３３，ｈ４３，ｈ５３，ｈ６３）＜（ｈ１２，ｈ２２，ｈ３２，ｈ４２，ｈ５２，ｈ６２）
であって、光軸Ｌが半透過型スクリーン１０と反射型スクリーン２０の両方に交差して投射されればよい。このとき、光軸Ｌと反射型スクリーン２０の画像投射面２０ａとの交差する位置は、図４（ｂ）に示す画像投射面２０ａを重力方向Ｇに沿って延長させた仮想面２１ａ，２１ｂ内であってもよい。
【符号の説明】
【００６６】
１０…半透過型スクリーン、２０…反射型スクリーン、１００…画像投射スクリーン、２００…プロジェクター、３００…ステージ、４００…天井部。
【図１】
2016118671.tif 000003
【図２】
2016118671.tif 000004
【図３】
2016118671.tif 000005
【図４】
2016118671.tif 000006